(57)【要約】【課題】ストマ装着者がストマの袋を交換する際に、その作業を円滑にできるようにするストマ装着者用ズボンを提供する。【解決手段】ズボン１０は一対の脚部１２、１２を有し、少なくとも一方の脚部１２の外側の側方線に沿って上下方向途中部にズボン１０の上端及び下端にまで達しない開口１６が設けられる。開口１６にはスライドファスナー１８が設けられて、スライドファスナー１８によって開口１６が開閉自在であり、開かれた開口１６を通してストマの袋２０が出し入れ可能となっている。【選択図】図３
0003123547.tif 000002
【実用新案登録請求の範囲】
【請求項１】
一対の脚部を有するズボンにおいて、
少なくとも一方の前記脚部の外側の側方線に沿って上下方向途中部にズボンの上端及び下端にまで達しない開口が設けられ、該開口にはスライドファスナーが設けられて、該スライドファスナーによって前記開口が開閉自在であると共に該開かれた開口を通してストマの袋が出し入れ可能となったことを特徴とするストマ装着者用ズボン。
【請求項２】
前記開口は、前記脚部の外側の側方にある前身頃と後身頃との縫合線の一部において縫合されない部分として設けられることを特徴とする請求項１記載のストマ装着者用ズボン。
【考案の詳細な説明】
【技術分野】
【０００１】
本考案は、ストマ装着者に適したズボンに関する。尚、実用新案登録請求の範囲及び明細書で「ズボン」とは、一対の脚部を有して下半身に装着する衣服であり、上着用、下着用のいずれも問わないものとし、また、正装用、普段着用、作業用、スポーツ用、介護用、寝巻き用等のいかなる用途用であってもよく、また下半身のみならず上半身も覆う（例えばつなぎ服）ものも含むものとする。
【背景技術】
【０００２】
従来のズボンとして、作業用、スポーツ用、または介護用の目的でズボンの着脱の容易性を図るために、脚部の外側の側方線に沿って開口を設けるようにしたものは多数提案されている（特許文献１ないし特許文献４）
このような着脱の容易性を図るためのズボンの開口は、必ずズボンの上端及び下端の両端に渡り延びているか、または上端または下端のいずれかまで延びている。
【０００３】
一方、防暑を図るためのズボンとして、脚部の外側の側方線に沿って開口を設けるようにしたものも提案されている（特許文献５）。特許文献５では、その上下方向中央部に開口を設けて、その開口に沿って適宜ピッチに釦が設けられており、釦により開口を開閉自在にして換気を図るようにしている。
【０００４】
【特許文献１】実開昭５４−２０８１１号公報
【特許文献２】実開昭５３−１０２７１３号公報
【特許文献３】実開昭５１−１０４１１０号公報
【特許文献４】実開昭５０−９７６１７号公報
【特許文献５】実開昭６１−１０８３０７号公報
【考案の開示】
【考案が解決しようとする課題】
【０００５】
しかしながら、従来のズボンにおいてストマ装着者のために考慮されたズボンは存在していない。ストマ装着者は、通常、脚の一方側にストマの袋を吊下げており、その袋を適宜交換する必要がある。従来、袋の交換を行なうためには、ズボンを上から途中まで降ろさなければならないため、その交換作業に手間がかかる、という問題がある。
【０００６】
本考案はかかる課題に鑑みなされたもので、その目的は、ストマ装着者がストマの袋の交換を円滑にできるようにするズボンを提供することである。
【課題を解決するための手段】
【０００７】
前述した目的を達成するために、請求項１記載の考案に係るストマ装着者用ズボンは、一対の脚部を有し、少なくとも一方の前記脚部の外側の側方線に沿って上下方向途中部にズボンの上端及び下端にまで達しない開口が設けられ、該開口にはスライドファスナーが設けられて、該スライドファスナーによって前記開口が開閉自在であると共に該開かれた開口を通してストマの袋が出し入れ可能となったことを特徴とする。
【０００８】
請求項２記載の考案は、請求項１記載の前記開口が、前記脚部の外側の側方にある前身頃と後身頃との縫合線の一部において縫合されない部分として設けられることを特徴とする。
【考案の効果】
【０００９】
本考案によれば、脚部の外側の側方線に沿って上下方向途中部に設けられた開口のスライドファスナーを開くことにより、開口からストマの袋を簡単に取り出し、または開口からストマの袋を簡単に取り付けることができるようになる。開口はズボンの上端または下端まで達していないことから、開口が上端または下端で開放されることがなく、開放された端部を閉じるための手間が不要である。また、開口は上端または下端まで達していないことから閉じた状態で目立たないようにすることができる。
【００１０】
請求項２記載の考案によれば、縫合線の一部に縫合されない部分として開口が設けられるために、開口が目立たずに、また簡単に開口を設けることができる。
【考案を実施するための最良の形態】
【００１１】
以下、図面を用いて本考案の実施の形態を説明する。尚、本考案は下記実施形態に限定されるものではない。
【００１２】
図１は本考案のズボンの正面図、図２は側面図である。図において、ズボン１０は、通常のズボンと同じように、一対の脚部１２、１２を備えており、該一対の脚部１２、１２の上部が一体化されて腰部１３を構成している。
【００１３】
脚部１２、１２のそれぞれの外側と、腰部１３を構成する部分より下のそれぞれの内側には、それぞれ前身頃と後身頃との縫合線１４、１５が形成されている。
【００１４】
一対の脚部１２、１２のうちの一方の脚部１２には、その外側の上下方向に伸びる側方線に沿って開口１６が設けられている。具体的には縫合線１４に沿って、その一部に縫合されない部分が開口１６となって設けられている。開口１６は、ズボン１０の上下方向途中部に設けられており、ズボン１０の上端及び下端までは達していない。側方線の位置は、脚部１２の外側を上下方向に伸びていればよく、必ずしも最側方になくてもよい。
【００１５】
そして、開口１６にはスライドファスナー１８が設けられており、該スライドファスナー１８によって開口１６は側方線に沿って開閉自在となっている。
【００１６】
以上のように構成されるズボン１０は、ストマ装着者用のものとなっている。ストマとは、人工的に体表面に作った排泄口である。ストマ装着者は、該ストマに袋２０を取り付けて該袋２０に排泄物を溜めており、適宜のタイミングでその袋を交換する必要がある。この交換時に、図３に示すように、スライドファスナー１８のスライダ１８ａを操作して開口１６を開き、そこから袋２０を取り出すことができる。また、袋２０を取り付けるときには、開かれた開口１６から新しい袋２０を挿入することができる。
【００１７】
このため、ストマの袋２０の交換のためにズボンを降ろす必要がなく、且つズボンを押さえる必要がないために、その交換に手間がかからず、円滑に行なうことができる。
【００１８】
開口１６は縫合線に沿って設けられているために、目立つことがなく、ズボンの外観は普通のズボンと大きく変わることはない。任意にはスライドファスナー１８を覆い隠すためのカバーとなる前身頃及び／又は後身頃と一体の返し部が開口１６に沿って設けられてもよい。
【００１９】
開口１６の長さは適宜、設定可能であり、袋２０の出し入れに便利な長さとするとよい。
【００２０】
また、開口１６は、脚部１２、１２のいずれか一方にのみ設ければよく、ストマの位置に応じて片方の脚部１２に設ければよい。ストマの位置に合わせて、右利き用としては右側の脚部１２にのみ設け、左利き用としては左側の脚部１２にのみ設けることができる。但し、ストマの位置に拘わらず使用可能とするために、両方の脚部１２、１２にそれぞれ開口１６を設けることも可能である。
【００２１】
開口１６はズボン１０の上端または下端まで達しておらず、この点が従来の着脱の容易性を図ったズボンとの決定的な相違である。ストマの袋２０の交換のためには、開口１６が上端または下端まで延びている必要はない。却って、開口１６が上端または下端まで達していると、スライドファスナー１８のスライダ１８ａを上端または下端まで移動させると開口１６が上端または下端で開放されてしまうことになり、そうすると、その開口１６を閉じるのに手間がかかるため、好ましくない。
【００２２】
また、開口１６は通常時はスライドファスナー１８によって閉じられている。この点も従来の防暑を図ったズボンとの決定的な相違である。袋２０の交換を行なう時以外には、開口１６は閉じられて目立つことがないようになっている。
【００２３】
図４は、下着用のズボン１０’に設けた別の実施形態の図である。図において、同一・同様の部分には前実施形態と同一の符号を付しその説明を省略する。
【００２４】
下着用のズボン１０’と上着用のズボン１０とを重ね着する場合もあり、そのような場合には、着用する全てのズボンに開口が設けられていないと本考案の効果が十分に発揮できない。そのため、上着用、下着用、その他用途は問わず、着用する可能性のあるズボンにすべて開口を設けることが望ましく、その開口の位置が重なり合うようにほぼ同じ位置にあることが望ましい。
【００２５】
図４の下着用ズボンは、図１ないし３の上着用ズボンと組み合わせて着用可能なるように、その開口１６の位置が合わせて設けられている。この例の場合には、縫合線が外側の側方部にないために、開口１６が縫合線に沿って設けられていないが、それでも構わない。
【００２６】
これによって、上着用のズボン１０の開口１６を開いた後、下着用のズボン１０’の開口１６を開いて、袋２０の出し入れが可能となる。
【図面の簡単な説明】
【００２７】
【図１】本考案のストマ装着者用ズボンの実施形態を表す正面図である。
【図２】図１のストマ装着者用ズボンのスライドファスナーを設けた側から見た側面図である。
【図３】図１のストマ装着者用ズボンの使用状態を表す側面図である。
【図４】本考案のストマ装着者用ズボンの別の実施形態を表す側面図である。
【符号の説明】
【００２８】
１０、１０’  ズボン
１２  脚部
１４  縫合線
１６  開口
１８  スライドファスナー
２０  ストマの袋
【図１】
0003123547.tif 000003
【図２】
0003123547.tif 000004
【図３】
0003123547.tif 000005
【図４】
0003123547.tif 000006